(57)【要約】【課題】テンキーと限られた数のキーを使用して、携帯情報端末で文字入力を行うとき、テンキーとカーソルキーの配置が離れていると、カーソルを移動させるために、指の位置をずらす手間がある。このため、なるべく指の移動量、押下回数を減らし、文字入力を効率よく行う方法を提供することにある。【解決手段】テンキーの一部にカーソル移動機能を設け、これにより、文字入力時におけるカーソル移動における指の移動、押下回数に対する負担の軽減を図る。また、入力方法も、押下する必要がないときは押下しないで次のパターン文字を予測して表示をさせる機能を設けることにより、メール作成にかかる時間と負担を軽減させる。【選択図】      図２
2004171405.tif 000002
【特許請求の範囲】
【請求項１】
押下方向を感知できるキー入力感知部が下部に配置され、キーの押下と入力の方向を感知して、文字入力とカーソル移動を行うための単一の母音入力部と、複数の子音入力部とを有するテンキーと、
かな文字を入力するにあたり、前記単一の母音入力部、複数の子音入力部からの母音、子音入力を検出する制御部とを含む携帯情報端末。
【請求項２】
前記子音入力部による文字入力時に、前記制御部はその押下回数に応じて、清音、濁音、半濁音を指定し、前記母音入力部の押下により「ア」段から「オ」段を指定することを特徴とする請求項１記載の携帯情報端末。
【請求項３】
前記子音入力部の押下後、前記制御部は複数の子音入力部のいずれかが押下されない限り、子音コードを固定することにより、連続する同じ子音系列の文字が入力される時、前記母音入力部の押下と入力方向の検出で複数のかな文字を指定することを特徴とする請求項１または２記載の携帯情報端末。
【請求項４】
前記子音入力部により、子音コードが指定されないまま、前記母音入力部が押下された場合、前記制御部は押下回数分に応じた母音を指定し、かつ前記母音入力部よる入力方向の感知により、複数の母音を指定することを特徴とする請求項３記載の携帯情報端末。
【請求項５】
前記子音入力部の押下により、前記制御部は表示する文字に予め指定された子音コードの「ア」段のかな文字を指定し、「イ」段以降を指定するときには、前記母音入力部の必要回数分押下により、複数のかな文字を指定することを特徴とする制御部を持つ前記請求項２，または３記載の携帯情報端末。
【請求項６】
押下方向を感知できるキー入力感知部が下部に配置され、押下方向により、カーソル移動、もしくは文字入力を行うことが可能なテンキーにより、かな文字を入力するにあたり、テンキーに英数字、記号等に加え、単一の母音入力部、複数の子音入力部の役割を分担させることを特徴とした文字入力方法。
【請求項７】
母音入力部に割り当てられたテンキーの下部にキー入力感知部を配置し、文字入力において、ある回数分押下されたことを感知して、その回数に応じて、子音入力部では清音、濁音、半濁音を指定、母音入力部では「ア」段から「オ」段を指定することを特徴とする前記請求項６記載の文字入力方法。
【請求項８】
子音入力部から入力を行うことにより、子音コードを指定した後、複数の子音入力部のいずれかを押下しない限り、その子音コードは変化せず、連続する同じ子音文字を入力するとき、母音入力部の押下およびその入力部に具備されているカーソル機能の使用のみで複数のかな文字を指定する手段を持つ前記請求項７記載の文字入力方法。
【請求項９】
子音コードを指定せず、母音入力を行う場合は、その母音を表示し、かつ母音入力部に具備されているカーソル機能を用いることで、複数の母音の入力を行う請求項８記載の文字入力方法。
【請求項１０】
子音入力部を押下することによって、表示される文字は予め指定された子音コードの「ア」段を指定して、「イ」段以降を指定するときには、母音入力部を必要回数分押下することにより複数のかな文字を指定する請求項７，または８記載の文字入力方法。
【発明の詳細な説明】
【０００１】
【発明の属する利用分野】
本発明はかな文字入力にあたり、指の可動範囲を狭め、移動量を減らすことにより、かな文字の入力操作を簡便かつ早く行うことができる方法を用いた携帯無線端末に関する。
【０００２】
【従来の技術】
従来の文字入力を行える携帯無線端末は、テンキーが筐体の長辺方向の下部にあり、カーソルキーが筐体の長辺方向の上部にある構成が主である。
【０００３】
そして、メールなどを作成するときには、テンキー１から９，０に対応して、ア行からワ行の文字を指定していく。たとえば、「ア」行に対応する１のキーを１度押下すると「あ」の表示がなされ、続いて４度押下すると、「お」の表示を入力できるようになっている。
【０００４】
この場合、たとえば「青（ａｏ）」など同じ行の文字が続く入力の場合、まず「ａ」を入力し、次に端末のカーソルキーに移動して、右方向に押下することで、カーソル位置を移動、その後「ｏ」を入力というように、下部位置にあるテンキーでの操作から上部位置にあるカーソル移動キーへの操作へ移るという繰り返しであった。
【０００５】
また別の従来例のテンキーボードからの文字入力方式では、各数字キーに対応して、各かな文字が割り当てられており、それぞれのキーは一度押すと母音「ウ」段から始まる。
【０００６】
そして、別途に設けられた、選択スイッチのアップダウン操作により、アップでは、「イ」段、「ア」段の表示を、ダウンでは、「エ」段、「オ」段の表示を順に行う方法がある。また、この選択スイッチには、カーソル機能を設けており、文字修正においては、選択文字までカーソルを移動させる手段を持つ。（たとえば特許文献１参照。）。
【０００７】
【特許文献１】
特開２００１−１５９９４５号公報
【０００８】
【発明が解決しようとする課題】
しかし、上述した従来技術では、上部に配置されているカーソルキーと下部に配置されているテンキーを組み合わせて操作を行うときには、どうしても、親指入力を行う際の親指の可動範囲が広くなり、場合によっては左手で支持したり、右手単独で操作を行う時にも、端末の下部から上部を支持するように持ち替えるなど、手間がかかるという問題がある。
【０００９】
本発明では、携帯無線端末操作の際に生じる親指の可動範囲を狭めることで、主にテンキーを用いた文字入力を行える携帯無線端末に関して、親指の負担を減らしスムーズに文字入力を行える携帯無線端末を提供することにある。
【００１０】
【課題を解決するための手段】
本発明では、テンキーの一部にあるカーソル移動の機能とは、押下方向を感知できるキー入力感知部が下部に配置され、押下方向により、カーソル移動、もしくは文字入力を行うことが可能な携帯情報端末であり、その文字入力の方法は、かな文字を入力する場合、テンキーに英数字、記号等に加え、単一の母音入力部、複数の子音入力部の役割を分担させることが特徴である。これにより、一つの母音入力部を中心に、周囲の子音入力部との組み合わせることで、文字入力の操作を簡単にした方法である。
【００１１】
かな文字入力する場合、指定する文字を選択するために、母音入力部と子音入力部の複数回の押下を行い、その入力部にまとめられている選択肢から指定したい文字を表示させることが可能である。
【００１２】
つまり、子音入力部では、一つのかな文字の子音に相当する清音、濁音、半濁音を一まとめにし、５種類の母音「ア」段から「オ」段は一つの母音入力部に一まとめにされている各入力部を押下する回数により、それらの一まとめにした文字の種類から、指定する文字を選択することが可能である。
【００１３】
また、連続する文字を入力する場合も、同じ子音系列のかな文字の場合、子音コードを指定することで、入力負担を減らすことが可能である。
【００１４】
子音コードとは、子音入力部を押すことにより、指定される子音系列のことである。このコードは、複数ある他の子音入力部を押すことがない限り変化することはない。
【００１５】
従って、連続する同じ子音文字を入力するときは、次の同じ子音系列の文字を入力するとき、母音入力部にあるカーソル機能でカーソルをずらし、母音を指定するのみで、複数の同じ子音系列の文字を指定することが可能である。
【００１６】
また連続する同じ子音系列のかな文字入力のほかに、連続母音の入力についてもまた可能である。つまり、子音コードが指定されないときは、子音入力部が押されない限り指定コードなしの状態となり、そのため、連続する母音を入力するときは、カーソル機能を具備する母音入力部のみで複数の母音入力を行うことが可能である。
また、他に、押下回数を減らすために、上記の例では子音入力部を押した時、表示部にローマ字入力としての英字表示がされているのに対し、かな文字「ア」段から表示させることも可能である。
【００１７】
「ア」段表示の場合は、子音入力部の押下のみで、指定可能であり、また「イ」以降の文字を入力する場合も母音入力部の押下回数は上記の例に比べて一回分減少させることが可能である。
【００１８】
上記の内容に基づき、本発明では、上部に配置されていることが多いカーソルキーの機能、またはカーソル移動の機能を文字入力に使われるテンキーの一部に持たせることで、カーソル移動キーへ指を移動させる時間を省くことを可能にしている。
【００１９】
これにより、テンキー入力、カーソルキー入力を併用して行う入力操作の時に、親指の可動範囲を縮小させ、入力に伴う負担をやわらげることにより、文字入力の効率化が計られる。
また、入力方法もテンキーを母音入力部、子音入力部と分離することにより、ボタン押下回数を減らす効果も計る。
【００２０】
【発明の実施の形態】
以下、本発明の実施の形態について図面を用いて詳細に説明する。
【００２１】
図１は、本発明の一実施の携帯における携帯無線端末の電気回路系を示すブロック図である。
【００２２】
図１を参照すると、携帯無線端末１は、アンテナ２と、ＲＦ処理部３と、ベースバンド処理部４と、スピーカ５と、ブザー６と、マイク７と、制御部８と、入力部９と、表示部１０と、バッテリー１１と記憶回路１２とから構成される。
【００２３】
ＲＦ処理部３は、受信信号をＲＦ処理し、復調して受信ベースバンド信号に変換する。また、送信用ベースバンド信号を変調して送信信号に変換しアンテナ２に送信する。
【００２４】
ベースバンド処理部４は、受信ベースバンド信号を複合化して音声信号を生成しスピーカ５に出力して音声を再生する。また、ＲＦ処理部３からの受信ベースバンド信号のうち、音声以外の画像、メール等のデータに関しては、制御部８により読み出され、表示部１０や後述する記憶回路１２に出力される。またベースバンド処理部４は、マイク７から入力された音声を符号化し、送信用ベースバンド信号を生成し、音声以外のデータは制御部８から供給されて必要な処理を施し、ベースバンド処理部４を経由してＲＦ処理部３に出力する。
【００２５】
制御部８は、上述の一連の送受信処理を含む携帯電話機全体の制御を行っている。記憶回路１２は、携帯電話機の動作、制御に必要なシステム、プログラム、データを記録している。
【００２６】
図２は本発明の一実施の形態における携帯無線端末の外観を示す図である。  また、図３は図１のテンキーの一部分の拡大図である。
【００２７】
本発明の実施の形態の携帯無線端末は、図２に示すように、上下左右にカーソルを移動させるカーソルキー９ｃと、テンキー９ｄ、及びその他のキーからなる入力部９と、表示部１０と、アンテナ２とを含んで構成される。
【００２８】
またテンキー９ｄは通常の電話番号を入力するときは、従来と同じくテンキーとしての役割を果たすが、文字入力部の視点から役割を分けると、かな文字入力の子音を入力する子音入力部９ｂと母音を入力する母音入力部９ａの二種類から構成される。
【００２９】
そして、図３に示すように、中心にある母音入力部９ａとその周囲を囲む８つの子音入力部９ｂが配置されており、図３に示すように、それぞれの子音入力部９ｆ〜９ｎはテンキーに対応して、割り当てられている。
【００３０】
そして、この母音入力部９ａは図４（ａ）に示すとおり、底面に複数の圧力センサーからなるキー入力感知部１３を配置した構成を持ち、母音文字入力と他に、カーソル移動機能を付加することにより、文字を入力するとき、テンキーからカーソルキー９ｃまでの時間を省くことができる。母音入力は、母音入力部９ａを強く押下することにより行われ、カーソル移動は、キーの端を軽く押下することにより行われる。
【００３１】
キー入力感知部１３は操作者が母音入力部９ａのどの部分を押したかを感知するためのもので、操作者が母音入力部９ａの中心を強く押せば図４（ｂ）に示すように全ての圧力センサーがＯＮとなり文字入力となる。また母音入力部９ａの端を押せばその方向の圧力センサーがＯＮとなり、制御部の制御によりその方向へカーソルを移動することができる（図４（ｃ））。
【００３２】
なお、図４（ａ）〜（ｃ）では、文字入力のための押下検出とカーソル移動のための押下方向の検出とが同じ圧力センサーで行われているが、文字入力の検出センサーは、押下方向の検出センサーと別々であってもよい。
【００３３】
次に本発明の実施の形態について図１、図２、図３、図４を参照して説明する。
【００３４】
母音入力部９ａは５つの母音「ａ，ｉ，ｕ，ｅ，ｏ」すべての入力に対応し、１回押すごとに図１の制御部８の制御の下に「ａ」→「ｉ」→「ｕ」→「ｅ」→「ｏ」と入力内容を変化させることができる。
【００３５】
図３の子音入力部９ｂの９個のキーにはそれぞれア行以外の行、カ行（ｋ）、サ行（ｓ）、タ行（ｔ）、ナ（ｎ）行、ハ行（ｈ）、マ行（ｍ）、ヤ行（ｙ）、ラ行（ｒ）、ワ行（ｗ）を割り当てる。
【００３６】
また濁音は「ガ行（ｇ）、ザ行（ｚ）、ダ行（ｄ）、バ行（ｂ）」、半濁音は「パ行（ｐ）」と決まっているため、例えばカ行とガ行を１セットして、それぞれの行に対する清音、濁音、半濁音は一つのキーに対応させ、キーを押すごとに清音→濁音→半濁音と変化できるようにする。以上の各キーの設定、動作は全て図１の制御部８の制御により行われる。
【００３７】
この構成を図３で説明する。図３は図２の９ｂ子音入力部を詳細に示した図である。
【００３８】
図３の子音入力部９ｂを参照すると、先に説明した入力する子音のセットをそれぞれ母音入力部９ａの周りに配置してある。１セットの子音入力は、母音入力部９ａと同様、それぞれのボタンを押す回数で選択する。例えば図３のカ行、ガ行入力部９ｆではカ行とガ行が１セットとなっているが、カ行の入力を行うときはこの入力部９ｆを１回押し、ガ行の入力を行うときはさらに１回押すことで選択することができる。
【００３９】
次に、図１乃至図５を参照して本実施の形態の動作について詳細に説明する。
【００４０】
通常のかな文字入力の場合、かな文字の構成は「子音＋母音」となっているため、まず図３の子音入力部９ｆ〜９ｎの中から対応する子音部を押す（図５（ａ）のｆ２）。このとき実施例の構成で説明したように、同じ子音部を何度も押すことにより清音→濁音→半濁音と変化できるようにする。
必要な子音を決定したら、次に図１の母音入力部９ａから対応する母音を決定する。母音入力部９ａはキーを押すごとに「ａ」→「ｉ」→「ｕ」→「ｅ」→「ｏ」と変化するため入力したい文字に対応する母音の数だけ、母音入力部９ａを押す（図５（ａ）のｆ３）。
【００４１】
所望の文字列の入力を終えたら、文字変換、決定キーを押して操作を終える（図５（ａ）のｆ５）。
【００４２】
ここで具体的な入力例を図３、図５、図６、図７を参照して説明する。例えば「き」と入力する場合、図３の子音入力部９ｆを１回押す。この操作で表示部１０に「ｋ」が表示され、カ行の入力待ち状態となる（図６（ａ））。次に母音入力部９ａを必要回数押す。この例では母音は「ｉ」なので母音入力部９ａを２回押す。ここで表示部１０の表示は最初に母音入力部９ａを一回押すことで「か」が表示され（図６（ｂ））、もう一度母音入力部を押すことで「き」が表示される（図６（ｃ））。
【００４３】
また「ぎ」と入力する場合、まず図３の子音入力部９ｆを一回押す。このとき表示部１０には「ｋ」が表示されカ行入力の待ち状態となる（図７（ａ））。続けてもう一度図３の子音入力部９ｂを押すことで表示部１０には「ｇ」が表示されガ行の入力待ち状態となる（図７（ｂ））。次に「き」の入力と同様母音入力部９ａを２回押す。１回目では表示部１０には「が」が表示され（図７（ｃ））、２回目を押すことで「ぎ」が表示される（図７（ｄ））。
【００４４】
従来の携帯電話での文字入力では、例えば「かき」のように同じ行の文字を続けて入力する場合、入力の間に入力位置を示すカーソルを移動する操作が必要であった。しかし、この例に限れば「子音＋母音＋子音＋母音」とキーが重ならないため、カーソル移動の必要はない。
【００４５】
次に、「あお」のように母音が続く文字の入力について説明する。この例のように母音を連続して入力する場合は、これまで説明した入力方法とは異なる。母音を連続して入力する方法は図５（ｂ）に示すように、同じボタンで連続して文字を指定する必要があるので、母音と母音の間に母音入力部９ａによるカーソル移動操作（ｆ８）が必要となる。
【００４６】
ここで「あお」の入力方法について具体的に説明する。この例でまず最初の母音「ａ」を入力するため、図３母音入力部９ａを１回押す（図８（ａ））。母音が続く場合は、カーソルを移動する必要がある。
【００４７】
従来の携帯電話では、カーソル移動の操作のためにテンキー入力から指を離し、カーソル移動キーへ指を移さなければならなかった。しかし本発明では、図３に示すように母音入力部９ａにカーソル移動の機能があるため、指を移動する時間を省くことができる。つまり１つ目の母音を入力した後、そのまま指を離すことなくカーソルを移動して（図８（ｂ））、続けて２つ目の母音を入力する（図８（ｃ））ことが可能である。以上の各入力部の操作による動作はすべて図１の制御部８の制御の元に行われる。
【００４８】
次に、本発明の第２の実施の形態について説明する。
第２の実施例の場合には、連続する母音入力に加えて、更に、子音入力部９ｂを押下することで、次の子音入力部９ａを押下するまで、子音コードを固定させる構成である。
【００４９】
子音入力部９ｂを押し、その子音コードが決定され、それに続き母音入力部９ａを押すことによって、所望の文字を表示させた後も子音コードは固定されたままとなる。そして、そのままカーソルキー９ｃでカーソルをずらすと、表示済みの文字の下部にあるカーソルが一文字分右側にシフトされる。このシフトされた部分には、自動的に固定された子音コードに対応するローマ字表示がなされる。
【００５０】
このカーソル部分に表示されているローマ字に対しては、母音入力部を押下するだけで、所望のかな文字を表示させることが可能となる。
【００５１】
ここで具体的な入力例を図９を参照して説明する。例えば「かき」と入力する場合、図３の子音入力部９ｆを１回押す。この操作で表示部に「ｋ」と表示がなされ、カ行入力待ち状態となる（図９（ａ））。次に母音入力部９ａを１回押すことで「か」の文字が表示される（図９（ｂ））。続いて、「き」を入力する場合、子音入力部９ｆ以外の子音入力部を押さないため、子音コードは「ｋ」のままで固定される。これにより、他の子音入力部を押さずに、母音入力部９ａにあるカーソルで一文字分右にカーソルをずらすと、自動的に隣のスペースにも「ｋ」の表示がなされる（図９（ｃ））。
【００５２】
よって、子音入力操作を省くことができ、後は母音入力部９ａを２回押すだけで、「き」の文字を表示することが可能となる（図９（ｄ））。以上の各入力部の操作による動作はすべて図１の制御部８の制御の元に行われる。
【００５３】
このように、連続する母音入力に加えて、連続する同じ子音の文字列を入力する場合にも、カーソル機能付きの母音入力部９ａから指を移動させることなく、入力を行うことが可能となる。
【００５４】
次に本発明の第３の実施の形態について説明する。
第１、第２の実施例では、ローマ字入力として、最初に子音入力部９ｂを押すと、その時点で入力する文字の子音がローマ字で表示され、それに続き、母音入力部９ａを数回押すことで、押下回数分の指定子音の行が決定されていた。これに対し、本発明の第３の実施の形態では、子音入力を行う時点で、その子音にあたるローマ字に代わり、その子音に対応する「ア」段表示が行われる。
【００５５】
このあと、母音入力部９ａで複数回押下する事によって、その子音行の表示が決定づけられる。
【００５６】
たとえば、子音入力を行う時、「ｋ」、「ｔ」などの英字表示ではなく、「か」、「た」と、それぞれの子音に対応する「ア」段の表示を行う。
これにつづき、それぞれの子音に対応する「イ」段、「ウ」段を表示したい場合には、母音入力部９ａを一回押下するごとに、同じ行の「イ」段、「ウ」段の文字を順に表示させる。
【００５７】
ここで具体的な入力例を図１０を参照して説明する。例えば「なまこ」と入力する場合、図３の子音入力部９ｉを１回押す。この操作で表示部に「な」が表示され、ナ行の入力待ち状態となる（図１０（ａ））。次に図３の子音入力部９ｋを１回押す。この操作で表示部に「ま」が表示される。この子音入力部２ｋを押す前の時点では、「な」の下部にガーソルとして、アンダーバーが表示されるが、異なる子音入力部を押した直後、カーソルは、次の文字である「ま」の下部に移動する（図１０（ｂ））。続いて、子音入力部９ｆを押し、「か」を表示させる（図１０（ｃ））。この時点では、カーソルは「か」の下部にあり、この「か」の入力待ち状態で、母音入力部９ａを４回押すと、所望の文字「こ」が表示される（図１０（ｄ））。
【００５８】
このように、最初に子音入力部９ｂが押された段階で、その子音に対応する「ア」段表示が行われ、続いて、母音入力を行うことで、「イ」段から始まり、所望の文字を表示させることができる。この入力方法はローマ字入力形式の入力方法であるが、「ア」段の文字入力を行う際には、一度の子音入力部の押下のみで済み、また、他の母音の場合でも、他の実施例に比べて、母音入力を一回分減らすことができ、文字入力効率を向上させることができる。
【００５９】
この場合、連続する同じ子音の文字列の場合には、カーソルをずらすことにより、右隣にカーソルがシフトされたとき、自動的に同じ子音の「ア」段表示がなされる。
【００６０】
また、小文字「ゃ」、「ゅ」、「ょ」は「ヤ」行に対応する子音入力部９ｂを２回押すことにより、「や」に続いて、「ゃ」表示がなされ、続いて母音入力部９ａで指定したい母音に合わせて数回押下することで、表示がなされるようにしてもよい。「っ」の場合は「た」行に対応する子音入力部９ｂを押下ごとに「た」、「だ」の１セットではなく、「た」、「だ」、「っ」と３種で１セットにくくり、繰り返しパターンにすることも可能である。
【００６１】
以上の各入力部の操作による動作はすべて図１の制御部８の制御の元に行われる。
【００６２】
カーソル移動機能を備えたテンキー９ｄはキー入力探知部１３を設けるほかに、カーソルを移動できるためのセンサを設けていればなんでもよい。この実施例ではカーソルキーを長辺方向の上部に配置しているが、カーソル移動をさせる機能を持つキーは上部に配置の形を必ずしもとらない。またはあってもなくてもかまわない。もしくは、母音入力部にすべてのカーソルキーにあたる機能を含ませてもかまわない。
【００６３】
また、母音入力部、子音入力部９ｂは図２、図３に示すように。テンキー９ｄに配置されるが、この図の限りではない。
【００６４】
【発明の効果】
本発明の携帯無線端末の文字入力方法とカーソル移動機能付きテンキーを用いることにより、文字入力を行う時に、キーの押下、キー間の移動などにかかる指の負担を減らすことで、入力の効率化を図ることができる。
【００６５】
また、連続する同じ子音行の文字を入力するとき、子音コードを固定することにより、「母音」＋「子音」の入力形態を取らずに母音入力部にあるカーソルキーと、母音入力部のみで、次の同じ系列の子音の所望する文字を入力することが可能である。
【００６６】
更に、母音のみの入力の場合、子音コードによって、子音が指定された場合、もしくは、子音コードが指定されている時にカーソルを右に移動させた場合、母音「あ」、またはその時点で対応する子音の「ア」段から表示されるため、子音入力部押下時に、「ア」段の子音を表記したい場合は、押下回数が一回分少なくてすむ。
【００６７】
以上のように、本発明の方法により、少ない押下回数、指の可動範囲を狭め、指への負担を減らした文字入力が容易となる。
【図面の簡単な説明】
【図１】携帯無線端末の電気回路系を示すブロック図
【図２】本発明の実施の形態における携帯無線機の外観図。
【図３】本発明の実施の形態における子音入力部に割り当てられたテンキーの役割分担を表示した図。
【図４】（ａ）はカーソル移動機能を備えたテンキーの断面図であり、（ｂ）は文字入力の時におけるキー入力感知部の反応する個所を示す断面図、（ｃ）はカーソル移動時のキー入力感知部の反応する個所を示す断面図である。
【図５】カーソル移動機能を備えた母音入力部における通常文字入力を行う時のフローチャート（ａ）と、母音連続入力を行う時のフローチャート（ｂ）である。
【図６】（ａ）〜（ｄ）は「き」を入力するときの動作を説明するための図である。
【図７】（ａ）〜（ｄ）は「ぎ」を入力するときの動作を説明するための図である。
【図８】（ａ）〜（ｃ）は母音を連続入力するときの動作を説明するための図である。
【図９】（ａ）〜（ｄ）は「かき」を入力するときの動作を説明するための図である。
【図１０】（ａ）〜（ｄ）は「なまこ」を入力するときの動作を説明するための図である。
【符号の説明】
１    携帯情報端末本体
２    アンテナ
３    ＲＦ処理部
４    ベースバンド処理部
５    スピーカ
６    ブザー
７    マイク
８    制御部
９    入力部
９ａ  母音入力部
９ｂ  子音入力部
９ｃ  カーソル
９ｄ  テンキー
９ｅ  表示部
９ｆ  カ行、ガ行入力部
９ｇ  サ行、ザ行入力部
９ｈ  タ行、ダ行入力部
９ｉ  ナ行入力部
９ｊ  ハ行、バ行入力部
９ｋ  マ行入力部
９ｌ  ヤ行入力部
９ｍ  ラ行入力部
９ｎ  ワ行入力部
１０    表示部
１１    バッテリー
１２    記憶回路
１３    キー入力感知部
【図１】
2004171405.tif 000003
【図２】
2004171405.tif 000004
【図３】
2004171405.tif 000005
【図４】
2004171405.tif 000006
【図５】
2004171405.tif 000007
【図６】
2004171405.tif 000008
【図７】
2004171405.tif 000009
【図８】
2004171405.tif 000010
【図９】
2004171405.tif 000011
【図１０】
2004171405.tif 000012